(57)【特許請求の範囲】
【請求項１】
遊技盤に対し、前記遊技盤に表示された図柄と重なって取り付けられる透明な基板と、
前記基板を前記遊技盤に取り付ける際に使用するものであり、該基板において前記遊技盤に表示された図柄と重ならない位置に設けられた取付穴と、
前記基板に対して固定された支軸と、
前記支軸の先端に固着された装飾板と、
前記装飾板に表示されると共に、前記遊技盤に表示された図柄とで完結図形を形成する図柄と、
前記基板と前記装飾板の間で前記支軸をもって回動自在に支持された風車本体とを備えたことを特徴とする遊技機用風車。
【発明の詳細な説明】
【０００１】
【発明の属する技術分野】
本発明は、パチンコ機などの遊技機の遊技盤上に取付けられる遊技機用風車に関する。
【０００２】
【従来の技術】
従来、パチンコ機の遊技盤上に取付けられる遊技機用風車の一例を図８に示す。図８の遊技機用風車１００においては、羽根部１０３Ａを付設した風車本体１０３に装飾板１０２が固着されている。また、装飾板１０２及び風車本体１０３には中心孔１０１が貫通している。そして、かかる中心孔１０１に挿通される風車くぎ１０４を介して、図８の遊技機用風車１００が図示しない遊技盤上に取付けられる。よって、風車くぎ１０４をもって、風車本体１０３が回動自在に支持される。
【０００３】
従って、パチンコ球が羽根部１０３Ａに衝突して風車本体１０３が回動すると、風車本体１０３と一体である装飾板１０２も回動する。また、風車本体１０３が静止すると、風車本体１０３と一体である装飾板１０２も静止する。
【０００４】
すなわち、回動時においては、装飾板１０２に表示された模様などは、皆輪状の模様として、遊技者に認識される。また、静止時には、装飾板１０２に表示された模様などは、そのものとして、遊技者に認識される。このように、図８の遊技機用風車１００は、装飾板１０２に表示された模様などを通じて、回動時と静止時とでは異なる美感を遊技者に与えることができた。
【０００５】
【発明が解決しようとする課題】
しかし、従来技術の遊技機用風車１００は、パチンコ機の部品共有化の観点から、遊技盤上に表示された図柄とは無関係な別の独立した意匠を有するものであった。従って、遊技盤上に取付けられた遊技機用風車１００は、回動時と静止時とでは異なる美感を与えることができるものの、遊技盤上に表示された図柄とは調和させにくい異質な外観を呈する存在であった。
【０００６】
そのため、パチンコ機の遊技盤上では、遊技盤上に表示された図柄とは異質な外観を呈する遊技機用風車１００によって、パチンコ球の誘導が行われているので、遊技者の興趣を視覚的に高めるうえでは十分ではなかった。
【０００７】
そこで、本発明は、上述した問題点を解決するためになされたものであり、遊技盤上に形成された完結図柄の中で遊技球の誘導が行われるように、遊技機用風車自体が遊技盤上に形成される完結図柄を構成することにより、遊技者の興趣を視覚的に一層高めることができる遊技機用風車を提供することを目的とする。
【０００８】
【課題を解決するための手段】
この目的を達成するために成された請求項１に係る遊技機用風車は、遊技盤に対し、前記遊技盤に表示された図柄と重なって取り付けられる透明な基板と、前記基板を前記遊技盤に取り付ける際に使用するものであり、該基板において前記遊技盤に表示された図柄と重ならない位置に設けられた取付穴と、前記基板に対して固定された支軸と、前記支軸の先端に固着された装飾板と、前記装飾板に表示されると共に、前記遊技盤に表示された図柄とで完結図形を形成する図柄と、前記基板と前記装飾板の間で前記支軸をもって回動自在に支持された風車本体とを備えたことを特徴とする。
【０００９】
【００１０】
【００１１】
【００１２】
【００１３】
【００１４】
【００１５】
【００１６】
このような構成を有する本発明の遊技機用風車は、透明な基板が、遊技盤に対し、この遊技盤に表示された図柄と重なって取り付けられる。また、この透明な基板に対して固定された支軸を中心にして風車本体が回動するものである。そして、支軸の先端には装飾板が固着されている。かかる装飾板においては、遊技盤に表示された図柄とで完結図形を形成する図柄が表示されている。尚、かかる各図柄は立体的に表示されてもよい。
【００１７】
装飾板は、透明な基板に対して固定された支軸の先端に固着されているので、風車本体が支軸を中心にして回動しても、装飾板自体が動くことはない。よって、装飾板に表示された図柄も、動くことはない。さらに、装飾板に表示された図柄は、透明な基板を介して見える遊技盤上に形成される図柄と、風車本体の回動に左右されることなく、常に、一つの完結図形を形成して調和している。
【００１８】
【００１９】
【００２０】
【００２１】
【００２２】
尚、キャラクターは人物に限ることはなく、小説、漫画、映画、劇などの主人公でもよい。また、動物などでもよい。
【００２３】
【００２４】
【００２５】
【００２６】
【００２７】
【発明の実施の形態】
以下、本発明の実施の形態を図面を参照にして説明する。先ず、第１実施の形態の遊技機用風車について説明する。図１に、第１実施の形態の遊技機用風車１０の斜視図を示す。また、図２に、第１実施の形態の遊技機用風車１０の正面図を示す。また、図３に、第１実施の形態の遊技機用風車１０の背面図を示す。また、図４に、第１実施の形態の遊技機用風車１０の分解組立図を示す。
【００２８】
ここでは、主に図４の分解組立図を参照しながら、第１実施の形態の遊技機用風車１０の構成について説明する。第１実施の形態の遊技機用風車１０においては、装飾板１２の裏面に支軸１４の先端が固着している。かかる支軸１４は、風車本体１３の中心胴部１３Ｂ内を貫通する中心孔１３Ｃと、基板１１の中心胴部１１Ｂ内を貫通する中心孔１１Ｃに挿通される。
【００２９】
そして、基板１１の中心胴部１１Ｂの背面側から突出した支軸１４の後端に、図示しない止めリングを装着する（図３参照）。これにより、支軸１４は軸方向に固定される。このとき、支軸１４に設けられた溝部１４Ａは、基板１１の中心胴部１１Ｂ内に設けられた凸部（図示しない）と係合する。これにより、支軸１４は回動方向にも固定される。以上より、支軸１４は基板１１に固定される。従って、支軸１４の先端に固着された装飾板１４も、基板１１に対して固定される。
【００３０】
また、支軸１４が風車本体１３の中心孔１３Ｃを挿通することにより、基板１１と装飾板１２の間で、円筒状の風車本体１３が回動自在に支持される。かかる風車本体１３の周面上には、３つの羽根部１３Ａが形設されている。羽根部１３Ａは、風車本体１３の支持方向（支軸１４の軸方向）に対して平行に延在する断面円弧状の突条である。
【００３１】
また、基板１１の背面には、基板１１の係合胴部１１Ｄを介して、ランプ基板１５が固定される。かかるランプ基板１５のランプソケット１５Ａには、照明手段であるランプ１５Ｂが装着される。組立完了後の第１実施の形態の遊技機用風車１０においては、ランプ１５Ｂは基板１１のランプ孔１１Ｅを通過し、風車本体１３内に位置する。また、装飾板１２の背面に位置する。
【００３２】
一方、風車本体１３及び装飾板１２は、透光材料から成形されたものである。従って、ランプ１５Ｂが点灯すると、ランプ１５Ｂの光が、風車本体１３及び装飾板１２から透けるので、風車本体１３及び装飾板１２が明るくなる。さらに、風車本体１３から透けた光で、基板１１の表面も明るくなる。
【００３３】
このような構成を有する第１実施の形態の遊技機用風車１０は、基板１１の取付穴１１Ａを介して、図示しないパチンコ機の遊技盤上に取付けられる。従って、遊技盤側から第１実施の形態の遊技機用風車１０を見ると、支軸１４は遊技盤に対しても固定された状態にあり、遊技盤と装飾板１２の間で、かかる支軸１４をもって、風車本体１３が回動自在に支持されている。
【００３４】
また、第１実施の形態の遊技機用風車１０には、図１と図２に示すように、完結図柄として、キャラクターの顔面が表示されている。具体的には、装飾板１２の表面には、完結図柄の一部である部分図柄として、キャラクターの眼部及びその眼部の近傍（眼鏡、眉毛、髭）が表示されている。
【００３５】
特に、眼鏡のレンズ部分には螺でん模様のシール１６が貼付されており、その光沢（光の反射）により、キャラクターの眼部が強調されている。また、上述した一対のランプ１５Ｂは、装飾板１２に表示されたキャラクターの一対の眼部の背後に位置している。従って、ランプ１５Ｂの光でもキャラクターの眼部まわりは強調される。
【００３６】
また、基板１１の表面には、完結図柄から部分図柄を除いたものとして、キャラクターの毛髪、えくぼ、口が表示されている。さらに、基板１１の形状を、キャラクターの顔面の輪郭にすることにより、第１実施の形態の遊技機用風車１０全体で、キャラクターの顔面を表現している。
【００３７】
従って、第１実施の形態の遊技機用風車１０を遊技盤に取付けることによって、キャラクターの顔面を遊技盤上に形成させることができる。そして、キャラクターの眼部及びその眼部の近傍（眼鏡、眉毛、髭）が表示された装飾板１２は、風車本体１３が回動しても動くことはなく、基板１１に表示されたキャラクターの毛髪、えくぼ、口と常に調和して完結図形を形成するので、第１実施の形態の遊技機用風車１０が表現するキャラクターの中でパチンコ球の誘導が行われることになる。
【００３８】
次に、第２実施の形態の遊技機用風車について説明する。図５に、第２実施の形態の遊技機用風車２０の正面図を示す。第２実施の形態の遊技機用風車２０は、基板２１を除いて、第１実施の形態の遊技機用風車１０と同じものである。
【００３９】
すなわち、第２実施の形態の遊技機用風車２０の基板２１は、ポリカボネイトなどの透明材料から成形されたものである。また、その形状は、キャラクターの顔面の輪郭ではない。さらに、第２実施の形態の遊技機用風車２０を遊技盤に取付ける際に使用する取付穴２１Ａは、第１実施の形態の遊技機用風車１０の取付穴１１Ａと比べて、風車本体１３から遠い位置に設けられている。尚、その他については、第１実施の形態の遊技機用風車１０の基板１１と同じである。
【００４０】
このような第２実施の形態の遊技機用風車２０は、図６のキャラクターの全体像（完結図柄）のセル画３０が貼付されたパチンコ機の遊技盤上に取付られる。すなわち、図７の位置関係になるように、パチンコ機の遊技盤上に取付けられる。
【００４１】
このとき、パチンコ機の遊技盤上に表示されたキャラクターの顔面は基板２１と重なるが、かかる基板２１は透明であることから、キャラクターの顔面を認識する上で支障はない。また、取付穴２１Ａは、風車本体１３から遠い位置に設けられていることから、かかる取付穴２１Ａがパチンコ機の遊技盤上に表示されたキャラクターの顔面と重なることはない。
【００４２】
その結果、キャラクターの眼部及びその眼部の近傍（眼鏡、眉毛、髭）が表示された装飾板１２は、遊技盤上に貼付されたセル画３０のキャラクターの顔面の輪郭、毛髪、えくぼ、口と常に調和して完結図形を形成するので、第２実施の形態の遊技機用風車２０は、遊技盤上で、キャラクターの全体像、特に、キャラクターの顔面を表現することができる。従って、第２実施の形態の遊技機用風車２０が表現するキャラクターの中でパチンコ球の誘導が行われることになる。
【００４３】
尚、図６に示すように、セル画３０には、装飾板１２に表示されたキャラクターの眼部及びその眼部の近傍（眼鏡、眉毛、髭）は描かれていない。これは、第２実施の形態の遊技機用風車２０が、図７の位置関係になるように、パチンコ機の遊技盤上に取付けられると、キャラクターの眼部及びその眼部の近傍（眼鏡、眉毛、髭）が描かれるべきセル画３０の領域は、風車本体１３によって遮られて見ることはできないからである。
【００４４】
以上詳細に説明したように、第１実施の形態の遊技機用風車１０と第２実施の形態の遊技風車２０は、遊技盤に対して固定された支軸１４を中心にして風車本体１３が回動するものである。そして、支軸１４の先端には装飾板１２が固着されている。かかる装飾板１２においては、遊技盤上に形成される完結図柄（キャラクターの顔面又は全体像）の一部である部分図柄（キャラクターの眼部及びその眼部の近傍（眼鏡、眉毛、髭））が表示されている。
【００４５】
部分図柄（キャラクターの眼部及びその眼部の近傍（眼鏡、眉毛、髭））が表示された装飾板１２は、遊技盤に対して固定された支軸１４の先端に固着されているので、風車本体１３が支軸１４を中心にして回動しても、装飾板自体１２が動くことはない。よって、装飾板１２に表示された部分図柄（キャラクターの眼部及びその眼部の近傍（眼鏡、眉毛、髭））も、動くことはない。
【００４６】
さらに、装飾板１２に表示された部分図柄（キャラクターの眼部及びその眼部の近傍（眼鏡、眉毛、髭））は、遊技盤上に形成される完結図柄（キャラクターの顔面又は全体像）のうち装飾板１２の下に位置すべきものである。従って、遊技盤上に形成される完結図柄（キャラクターの顔面又は全体像）と、装飾板１２に表示された部分図柄（キャラクターの眼部及びその眼部の近傍（眼鏡、眉毛、髭））は、風車本体１３の回動に左右されることなく、常に、一つの完結図柄（キャラクターの顔面又は全体像）として調和している。
【００４７】
このとき、部分図柄（キャラクターの眼部及びその眼部の近傍（眼鏡、眉毛、髭））が形成されるべき遊技盤上の領域は、円筒状の風車本体１３によって遮蔽されている。これにより、遊技盤上に取付けられた第１実施の形態の遊技機用風車１０と第２実施の形態の遊技風車２０を斜め方向から見た場合に、部分図柄（キャラクターの眼部及びその眼部の近傍（眼鏡、眉毛、髭））が形成されるべき遊技盤上の領域は、遊技者からは見ることができない。
【００４８】
従って、例え、かかる遊技盤上の領域に部分図柄（キャラクターの眼部及びその眼部の近傍（眼鏡、眉毛、髭））が形成されていても、遊技盤上に形成された部分図柄（キャラクターの眼部及びその眼部の近傍（眼鏡、眉毛、髭））と、装飾板１２に表示された部分図柄（キャラクターの眼部及びその眼部の近傍（眼鏡、眉毛、髭））とが、二段に重なったように見えることを防止できるので、遊技者が違和感を抱くことはない。
【００４９】
また、第２実施の形態の遊技機用風車２０を、セル画３０によって完結図柄（キャラクターの全体像）が表示された遊技盤上に取付ける場合には、部分図柄（キャラクターの眼部及びその眼部の近傍（眼鏡、眉毛、髭））が形成されるべき遊技盤上の領域が、円筒状の風車本体１３によって遮蔽されており、部分図柄（キャラクターの眼部及びその眼部の近傍（眼鏡、眉毛、髭））が形成されるべき遊技盤上の領域は、遊技者からは見ることができないので、部分図柄（キャラクターの眼部及びその眼部の近傍（眼鏡、眉毛、髭））が形成されるべき遊技盤上の領域に部分図柄（キャラクターの眼部及びその眼部の近傍（眼鏡、眉毛、髭））を表示させることを要しない。従って、セル画３０には、部分図柄（キャラクターの眼部及びその眼部の近傍（眼鏡、眉毛、髭））が描かれない。
【００５０】
また、第１実施の形態の遊技機用風車１０を、支軸１４を固定した基板１１を介して、遊技盤上に取付ける場合は、かかる基板１１に完結図柄（キャラクターの顔面）を表示することにより、遊技盤上に完結図柄（キャラクターの顔面）を表示しなくとも、遊技盤上に完結図柄（キャラクターの顔面）を形成させることができる。
【００５１】
ここで、部分図柄（キャラクターの眼部及びその眼部の近傍（眼鏡、眉毛、髭））が形成されるべき遊技盤上の領域が、円筒状の風車本体１３によって遮蔽されており、部分図柄（キャラクターの眼部及びその眼部の近傍（眼鏡、眉毛、髭））が形成されるべき基板１１上の領域も、遊技者からは見ることができないので、部分図柄（キャラクターの眼部及びその眼部の近傍（眼鏡、眉毛、髭））が形成されるべき基板１１上の領域に部分図柄（キャラクターの眼部及びその眼部の近傍（眼鏡、眉毛、髭））を表示させることを要しない。
【００５２】
また、風車本体１３の周面上に形設される羽根部１３Ａが、風車本体１３の支持方向（支軸１４の軸方向）に対して平行に延在する断面円弧状の突条からなっているので、風車本体１３の回動によるパチンコ球の誘導という本来の機能を確保した上で、遊技盤上に形成された完結図柄（キャラクターの顔面又は全体像）を遊技者が認識する際に羽根部１３Ａが障害になることはない。
【００５３】
また、第１実施の形態の遊技機用風車１０の場合のように、完結図柄をキャラクターの顔面にすると、遊技盤上に形成された完結図柄（キャラクターの顔面）と、装飾板１２に表示された部分図柄（キャラクターの眼部及びその眼部の近傍（眼鏡、眉毛、髭））とを介して、キャラクターの顔面を、遊技盤上において立体的に表現することができる。また、第２実施の形態の遊技機用風車２０の場合のように、完結図柄をキャラクターの顔面を含んだものである全体像にしても、同様である。
【００５４】
さらに、完結図柄（キャラクターの顔面又は全体像）の一部である部分図柄を、キャラクターの顔面の眼部及びその眼部の近傍にしており、眼部及びその眼部の近傍はキャラクターの特徴を強く示すものであり、眼部及びその眼部の近傍が表示された装飾板１２が支軸１４の先端に固着された状態にあることから、キャラクターの特徴を強く示すものが遊技盤上から突出した位置にあることになり、遊技盤上において立体的に表現されたキャラクターの特徴を強く印象づけることができる。
【００５５】
また、上述したように、眼部及びその眼部の近傍はキャラクターの特徴を強く示すものである。従って、眼鏡のレンズ部分に螺でん模様のシール１６を貼付することによって、かかる眼部から光を反射させているので、遊技盤上において立体的に表現されたキャラクターを顕著に強調させることができる。
【００５６】
また、透光材料から風車本体１３を成形しており、その中からランプ１５Ｂの光で照射することによって、風車本体１３から透けた光で、基板１１又は遊技盤に表示されたキャラクターの顔面を明るくさせることができる。さらに、透光材料から装飾板１２を成形しており、その背後からランプ１５Ｂの光で照射することによって、装飾板１２から透けた光で、かかる装飾板１２に表示された眼部及びその眼部の近傍（眼鏡、眉毛、髭）を明るくさせることができる。従って、遊技盤上において立体的に表現されたキャラクターを顕著に強調させることができる。
【００５７】
すなわち、第１実施の形態の遊技機用風車１０と第２実施の形態の遊技機用風車２０においては、動くことのない装飾板１２に、完結図柄（キャラクターの顔面又は全体像）の一部であって装飾板１２の下に位置すべき部分図柄（眼部及びその眼部近傍（眼鏡、眉毛、髭））が表示されていることから、装飾板１２に表示された部分図柄（眼部及びその眼部近傍（眼鏡、眉毛、髭））は遊技盤上に形成された完結図柄（キャラクターの顔面又は全体像）と常に調和しており、第１実施の形態の遊技機用風車１０と第２実施の形態の遊技機用風車２０自体が遊技盤上に形成される完結図柄（キャラクターの顔面又は全体像）を構成しているので、完結図柄（キャラクターの顔面又は全体像）の中でパチンコ球の誘導が行われることになって、遊技者の興趣を視覚的に一層高めることができる。
【００５８】
尚、本発明は上記実施の形態に限定されるものでなく、その趣旨を逸脱しない範囲で様々な変更が可能である。
例えば、第１実施の形態の遊技機用風車１０と第２実施の形態の遊技機用風車２０において、完結図柄（キャラクターの顔面又は全体像）や部分図柄（眼部及びその眼部近傍（眼鏡、眉毛、髭））が表示されない風車本体１３を着色すれば、風車本体１３から透けたランプ１５Ｂの光が色を帯び、かかる色の光でキャラクターの顔面を明るくさせることができるので、キャラクターの顔面に新たな表情や感情を加えることができる。
【００５９】
例えば、風車本体１３を桃色に着色すれば、桃色の光でキャラクターの顔面を明るくさせることができるので、酒に酔った表情を加えることができる。また、風車本体１３を赤色に着色すれば、赤色の光でキャラクターの顔面を明るくさせることができるので、怒り、羞恥などの感情を加えることができる。
【００６０】
また、一対のランプ１５Ｂを、装飾板１２に表示された一対の眼部の背後に対応するように位置させるとともに、ランプ１５Ｂの交換点滅、同時点滅などを行えば、キャラクターの特徴を強く示すものである眼部を変化させることができるので、キャラクターを顕著に強調させることができる。
【００６１】
また、キャラクターの眼部を強調することができれば、眼鏡のレンズ部分の螺でん模様のシール１６に代わって、例えば、いわゆる反射シールやプリズムシールを貼付してもよい。また、完結図形の一部を強調するために、これらの螺でん模様を、その完結図形の一部に施してもよい。
【００６２】
また、完結図柄及び部分図柄は、キャラクターに限るものでない。また、キャラクターであっても、人物に限るものでなく、小説、漫画、映画、劇などの主人公でもよい。また、動物などでもよい。
【００６３】
また、第２実施の形態の遊技機用風車２０が取付られる遊技盤は、セル画３０を貼付することによって、完結図柄（キャラクターの全体像）を表示していたが、盤面上に直接描くことによって、完結図柄（キャラクターの全体像）を表示してもよい。
【００６４】
また、完結図柄が顔面又は顔面を含んだものである場合に、その顔面をもつキャラクターの特徴を示すものが眼部以外に存在するときは、そのもの（例えば、出歯、鉤鼻、など）及びその近傍を、部分図柄としてもよい。
【００６５】
また、装飾板１２に表示された部分図柄は平面的なものに限ることなく、立体的に表示されてもよい。このようにすれば、眼部などのキャラクターの特徴を示すものを強調させることができる。
【００６６】
【発明の効果】
本発明の遊技機用風車においては、動くことのない装飾板に、遊技盤に表示された図柄とで完結図形を形成する図柄が表示されていることから、装飾板に表示された図柄は、透明な基板を介して見える遊技盤上に形成される図柄と、風車本体の回動に左右されることなく、常に、一つの完結図形を形成して調和しているので、完結図形の中で遊技球の誘導が行われることになって、遊技者の興趣を視覚的に一層高めることができる。
【図面の簡単な説明】
【図１】  第１実施の形態の遊技機用風車を示した斜視図である。
【図２】  第１実施の形態の遊技機用風車を示した正面図である。
【図３】  第１実施の形態の遊技機用風車を示した背面図である。
【図４】  第１実施の形態の遊技機用風車を示した分解組立図である。
【図５】  第２実施の形態の遊技機用風車を示した正面図である。
【図６】  第２実施の形態の遊技機用風車が取付けられる遊技盤上に形成される完結図柄を示した図である。
【図７】  図６の完結図柄を形成した遊技盤に取付けられた第２実施の形態の遊技機用風車の正面図である。
【図８】  従来技術の遊技機用風車の一例を示した斜視図である。
【符号の説明】
１０、２０  遊技機用風車
１１、２１  基板
１２        装飾板
１３        風車本体
１３Ａ      羽根部
１４        支軸
１５Ｂ      ランプ
３０        セル画
【図１】
0003994176.tif 000002
【図２】
0003994176.tif 000003
【図３】
0003994176.tif 000004
【図４】
0003994176.tif 000005
【図５】
0003994176.tif 000006
【図６】
0003994176.tif 000007
【図７】
0003994176.tif 000008
【図８】
0003994176.tif 000009